(57)【要約】      （修正有）【課題】下着ウエスト部分に使用するゴムと紐を一本化し、下着前面部分のゴムのみを縫い付け、下着ウエスト部分に縫製された細い袋を通して２重に巻き付けることによって、下着のずり落ちを防ぐと同時にウエストサイズの容易な調整と下着の容易な着脱を可能にする。【解決手段】着用時のずり落ちを防ぐ下着ウエスト部分のゴム関して，ゴム全長のおよそ半分にあたる前面部分は下着に縫い付けるが，下着の背面部分にあたる残りのおよそ半分を下着に縫い付けず，ゴムによる圧迫の強さを着用時に調整できるよう縫製することによって，じゅうらいのゴム全面縫い付け下着と同様にずり落ちを防止する効果に加えて，下着ウエストサイズの調整が容易にできる。さらに，ゴムの両端を，下着の背面中央部分で布製の紐に接続し，ウエストをゴムで１周，紐でさらに１周、合計２周させることにより，ゴムの伸縮性によるずり落ち防止効果と，紐の伸縮のない固定効果の両方の特長を備える。【選択図】図２
0003131314.tif 000002
【実用新案登録請求の範囲】
【請求項１】
男性用下着トランクス，ブリーフ及びタイツ等、また女性用下着ショーツ及びタイツ等で，着用時のずり落ちを防ぐウエスト部分のゴム関して，ゴム全長のおよそ半分は下着に縫い付けるが，残りのおよそ半分を下着に縫い付けず，ゴムによる圧迫の強さを着用時に調整できるよう縫製することによって，じゅうらいのゴム全面縫い付け下着と同様にずり落ちを防止する効果に加えて，下着ウエストサイズの変更が可能で，使用時のきつ過ぎ，ゆる過ぎをなくしたウエストサイズ随時可変下着
【請求項２】
請求項１のウエストサイズ随時可変下着がずり落ちることを防止しているウエスト部分のゴムの両端を，布製の紐に接続し，ウエストをゴムで１周，紐でさらに１周、合計２周させることにより，ゴムの伸縮性によるずり落ち防止効果と，紐の伸縮のない安定的な固定効果の両方の特長を備えたウエストサイズ随時可変安定着用下着
【請求項３】
請求項１の下着に縫い付けていないゴム及び請求項２の紐を下着のウエスト部分に縫製した袋の中を通すこと，また請求項１のゴム全長のおよそ半分は下着に縫い付けることの２点を同時に満足させることによって、じゅうらいの下着とまったく変わらない外観を保ち，かつ，ゴム部分及び紐の長さの調整を容易にしたウエストサイズ随時可変安定着用おしゃれ下着
【考案の詳細な説明】
【技術分野】
【０００１】  本考案は、下着がずり落ちるのを防ぐ目的でウエスト部分に使用するゴムと紐を一本化し二重に巻き付け、かつ、ゴムの縫い付け範囲を制限した下着に関するものである。
【背景技術】
【０００２】  従来のトランクス，ブリーフ，ショーツ及びタイツ等は、ゴムを下着のウエスト周囲全体に縫い付けてあるためゴムの締めつけ強度調整が困難であり、一部の下着では紐を併用し，簡易的にウエスト部分の締めつけ強度調整を行えるように工夫していた。
【考案の開示】
【考案が解決しようとする課題】
【０００３】  下着ウエスト部分に使用するゴムは、下着のずり落ち防止効果があるが、過食等によってきつ過ぎる場合，解決が困難。また、紐とゴムの両方を別々に結ぶ構造では、強度調整に手間がかかる。さらにゴムを下着のウエスト部分に縫い付けない構造では着用時の安定性が悪くなり、見た目もよくない。従って、ゴムの弾力性と紐の安定性の両方の長所をいかし、ゴムと紐を一本化することによって下着のずり落ち防止を図りながら、ウエストサイズの随時調整を容易にし、さらにゴムの一部のみをウエスト部分に縫い付ける工夫により見た目の欠点を解決しようとするものである。
【課題を解決するための手段】
【０００４】  本考案は，着用時のずり落ちを防ぐ下着ウエスト部分のゴム関して，ゴム全長のおよそ半分にあたる前面部分は下着に縫い付けるが，下着の背面部分にあたる残りのおよそ半分を下着に縫い付けず，ゴムによる圧迫の強さを着用時に調整できるよう縫製することによって，従来のゴム全面縫い付け下着と同様にずり落ちを防止する効果に加えて，ウエストサイズの調整が容易で，使用時のきつ過ぎ，ゆる過ぎをなくした。さらに，ゴムの両端を，下着の背面中央部分で布製の紐に接続し，ウエストをゴムで１周，紐でさらに１周、合計２周させることにより，ゴムの伸縮性によるずり落ち防止効果と，紐の伸縮のない固定効果の両方の特長を備えることが可能になる。また、紐を下着上部のウエスト部分に縫製した袋の中を通すことによって，従来の下着とほぼ変わらない外観を保ち，かつ，ゴム部分及び紐の長さの調整が容易にできる。以上の工夫により問題点を解決している。
【考案の効果】
【０００５】  本考案のウエストサイズ随時可変安定着用下着は、従来の下着同様ずり落ちを防ぐと同時に，ウエストサイズを容易に変更できるので、使用時のきつ過ぎ，ゆる過ぎをなくし、かつ、見た目も従来の下着と変わらない形状を維持することができる。
【考案を実施するための最良の形態】
【０００６】  ウエスト部分のゴム全長のおよそ半分にあたる前面部分は下着に縫い付けるが，背面部分にあたる残りのおよそ半分を下着に縫い付けず，下着の上端に縫製した細い袋の中を通して、背面中央まで１周させる。ゴムの両端は下着の背面中央で細い紐に接続し、紐はゴムを通した細い袋、さらにゴムが縫い込まれている部分では、ゴムの内側に縫製された細い袋の中を通してウエストを１周する。ゴムに接続していない部分の紐の両端は、下着の前面上部中央で細い袋から下着の外側に抜け、紐の両端を適度な長さで結べる構造に縫製することによって、ゴム全面縫い付け下着と同様にずり落ちを防止し，かつ下着ウエストサイズの変更及び下着の着脱が容易で，使用時のきつ過ぎ，ゆる過ぎをなくし、ゴムの伸縮性によるずり落ち防止効果と，紐の伸縮のない固定効果の両方の特長を備えることが可能になる。また、紐を下着のウエスト部分に縫製した袋の中を通すことによって，じゅうらいの下着と変わらない外観を保つことができる。
【図面の簡単な説明】
【０００７】
【図１】下着正面やや俯瞰図である
【図２】ウエスト部分のゴムと紐の状態を示す、上部から見た断面図である
【図３】ウエスト前面部でのゴムと紐の状態を示す図解である
【図４】ウエスト背面部でのゴムと紐の状態を示す図解である
【図５】ゴム及び紐のみを取り出した解説図である
【符号の説明】
【０００８】１  下着本体の布
２  下着のウエスト部分に縫い付けられた太めのゴム
３  ２に接続し、ウエスト部分に縫い付けられていない細めのゴム
４  ３の両端に接続する布製の紐
５  ３及び４が通る布製の筒
【図１】
0003131314.tif 000003
【図２】
0003131314.tif 000004
【図３】
0003131314.tif 000005
【図４】
0003131314.tif 000006
【図５】
0003131314.tif 000007
【手続補正書】
【提出日】平成19年1月19日(2007.1.19)
【手続補正１】
【補正対象書類名】実用新案登録請求の範囲
【補正対象項目名】全文
【補正方法】変更
【補正の内容】
【実用新案登録請求の範囲】
【請求項１】
男性用下着トランクス，ブリーフ及びタイツ等、また女性用下着ショーツ及びタイツ等で，着用時のずり落ちを防ぐウエスト部分のゴムに関して，ゴム全長のおよそ半分は下着に縫い付けるが，残りのおよそ半分を下着に縫い付けず，ゴムによる圧迫の強さを着用時に調整できるよう縫製することによって，ゴム全面縫い付け下着と同様にずり落ちを防止する効果に加えて，下着ウエストサイズの変更が可能で，使用時のきつ過ぎ，ゆる過ぎをなくしたウエストサイズ随時可変下着
【請求項２】
請求項１のウエストサイズ随時可変下着がずり落ちることを防止しているウエスト部分のゴムの両端を，布製の紐に接続し，ウエストをゴムで１周，紐でさらに１周、合計２周させることにより，ゴムの伸縮性によるずり落ち防止効果と，紐の伸縮のない安定的な固定効果の両方の特長を備える請求項１に記載のウエストサイズ随時可変安定着用下着